(57)【要約】【課題】表示パネルを保護する保護部材が、外部から衝撃等を受けた場合に表示パネルの方向にずれることを防止して表示パネルを保護する技術を提供する。【解決手段】表示部保護構造の一態様は、表示パネル１０１、保護部材１０２、スクリーン部材１０３、及び接合部１０４を備える。表示パネル１０１は、情報を表示する機器である。保護部材１０２は、表示パネル１０１に対向して配設され、表示パネル１０１を保護する。スクリーン部材１０３は、保護部材１０２の配置を定める。接合部１０４は、保護部材と接合し、保護部材１０２が表示パネル１０１０方向への変位しないように形成される。【選択図】図１
2011250080.tif 000002
【特許請求の範囲】
【請求項１】
本体と、
前記本体内に配設され、情報を表示する表示パネルと、
前記表示パネルに対向して配設され、前記表示パネルを保護する保護部材と、
前記本体と嵌合するスクリーン部材と、
前記本体内に配設され、前記保護部材と接合し、前記保護部材が前記表示パネル方向への変位しないように形成されている接合部と、を備える携帯端末装置。
【請求項２】
前記接合部は、前記表示パネルに対して傾斜するように形成された傾斜形状を有し、前記斜面形状に前記保護部材が接することによって前記保護部材を把持するように形成されることを特徴とする請求項１記載の携帯端末装置。
【請求項３】
前記接合部の傾斜形状は、前記スクリーン部材から前記表示パネルの方向へ、前記保護部材を配置する領域が狭くなるように形成されていることを特徴とする請求項１または２記載の携帯端末装置。
【請求項４】
前記保護部材は、前記表示パネル側と対向する第一表面が、前記スクリーン側と対向する第二表面より小さくなるように形成されていることを特徴とする請求項１乃至３のいずれか一項に記載の携帯端末装置。
【請求項５】
前記接合部の傾斜形状は、前記保護部材と接合する斜面として形成され、
前記保護部材は、前記接合部の斜面形状に沿う斜面形状を有することを特徴とする請求項１乃至４のいずれか一項に記載の携帯端末.装置。
【請求項６】
情報を表示する表示パネルと、
前記表示パネルに対向して配設され、前記表示パネルを保護する保護部材と、
前記保護部材と接合し、前記保護部材が前記表示パネル方向への変位しないように形成されている接合部と、備える表示部保護構造。
【発明の詳細な説明】
【技術分野】
【０００１】
本発明は、携帯端末装置において表示部を保護する技術に関し、特に、液晶などの表示パネルを備えた電子機器に適用される、表示パネルを保護する保護部材に関する。
【背景技術】
【０００２】
携帯電話機などの携帯端末装置では、表示部を保護する保護プレート（保護部材）などを備えている。例えば、特許文献１には、保護部材の割れを防止する保護材が開示されている。
【０００３】
図４は、関連する携帯端末装置の内部構成例を示す断面図である。図４では、図２に示すような外観を有する携帯端末装置の一例を示し、図２に示すＩＩ−ＩＩ断面を示している。
図４に示すように、携帯端末装置は、フロント表示部９２として、バックライト９２１、フロント液晶９２２、フロントスクリーン９２３を備え、リア表示部９４として、背面液晶９４１、保護プレート（保護部材）９４２、リアスクリーン９４３、保護プレート嵌合部９４４、防塵クッション９４５、及びフレーム９４６を備える。また、制御回路を備える基板９１１、及びステンレス鋼（ＳＵＳ）９１２を示している。
【０００４】
図４に示す携帯端末装置のリア表示部９４を組み立てる場合、次のような手順をとる。まず、保護プレート９４２を、リア側から保護プレート嵌合部９４４へ固定する。その後、リアスクリーン９４３を、保護プレート嵌合部９４４のリア側と固定する。
【先行技術文献】
【特許文献】
【０００５】
【特許文献１】特開２００８−１９１３８０号公報
【発明の概要】
【発明が解決しようとする課題】
【０００６】
図４を参照して説明した保護プレートの固定方法では、組み立て時、保護プレート９４２のフロント側への位相ズレによる組み立てばらつきが生じる恐れがあった。また、携帯端末装置に落下等による衝撃が加わった場合、あるいは、環境による影響などにより、携帯端末筺体の変形及び保護プレート９４２の変形が生じた場合、保護プレート９４２がフロント側に位相ずれを起こす場合があった。
【０００７】
このような保護プレートのズレにより、外観を損なう場合や、携帯端末装置に搭載される構成部品、例えば、背面液晶、基板、基板実装部品、正面液晶、保護プレートに破損等の悪影響を及ぼす恐れがあった。
【０００８】
具体的には、図４に示す携帯端末装置の保護プレート保持構造は、保護プレート９４２が保護プレート嵌合部９４４により固定（圧入）され、保持される構造である。携帯端末装置が外部から大きな衝撃を受けた場合に、保護プレート嵌合部９４４により固定されている保護プレート９４２がズレを起こし、液晶割れ、基板実装部品の破損、保護プレート損傷を招く恐れがあった。また、破損等に至らない場合であっても、保護プレートのズレは、表示部の視認性の悪化を招く恐れがあった。
更に、従来の携帯端末装置の保護プレートは、ツメにより圧入する方法により組み付けられていた。このため、組み立ての際に大きな力を要し、適切な位置に組み付けるためには熟練した技術を必要としていた。
【０００９】
本発明は、表示パネルを保護する保護部材が、外部から衝撃等を受けた場合に表示パネルの方向にずれることを防止する携帯端末装置、及び表示部保護機能を提供することを目的とする。
【課題を解決するための手段】
【００１０】
本発明に係る携帯端末装置の一態様は、本体、表示パネル、保護部材、スクリーン部材、及び接合部を備える。表示パネルは、本体内に配設され、情報を表示する機器である。保護部材は、表示パネルに対向して配設され、表示パネルを保護する部材である。スクリーン部材は、本体と嵌合する。接合部は、本体内に配設され、保護部材と接合し、保護部材が表示パネル方向への変位しないように形成されている。
【００１１】
また、本発明に係る表示部保護機能の一態様は、情報を表示する表示パネルと、保護部材と、スクリーン部材と、接合部とを備える。保護部材は、表示パネルに対向して配設され、表示パネルを保護する。スクリーン部材は、保護部材の配置を定める。接合部は、保護部材と接合し、保護部材が前記表示パネル方向への変位しないように形成されている。
【発明の効果】
【００１２】
本発明によれば、表示パネルを保護する保護部材が、外部から衝撃等を受けた場合に表示パネルの方向にずれることを防止携帯端末装置、及び表示部保護機能を提供することが可能となる。
【図面の簡単な説明】
【００１３】
【図１】本発明の表示部保護構造の一例を示す図である。
【図２】実施形態１の携帯端末装置の一例を示す図であり、（ａ）はフロント側を示す図、（ｂ）は側面図、（ｃ）は、リア側を示す図である。
【図３】図１に示す表示部保護構造を適用した携帯端末装置の一例を示す断面図である。
【図４】関連する携帯端末装置の内部構成例を示す断面図である。
【発明を実施するための形態】
【００１４】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００１５】
本発明は、携帯端末装置に適用されるものであり、例えば、携帯電話機などの表示装置を備えた携帯型の電子機器に適用される。また、携帯端末装置は、携帯電話機に限られることなく、本体（筐体）内に、表示パネルを備え、該表示パネルを保護する保護部材を配設する電子機器に適用することができる。例えば、通信端末、計算機、ワードプロセッサ、ゲーム機などの携帯型の電子機器に適用してもよい。
【００１６】
図１に本発明の表示部保護構造の一例を示す。図１では、表示部保護構造の断面を用いて構成例を示す。表示部保護構造は、表示パネル１０１、保護部材（保護プレート）１０２、スクリーン部材１０３、及び接合部１０４を少なくとも備える。また、表示パネル１０１の周囲には、防塵クッション１０５、フレーム１０６などが配設されるが、これらは本質的な部分ではないため、ここでは詳細な説明を省略する。
【００１７】
表示パネル１０１は、情報を表示する機能を有する。表示パネル１０１は、例えば、液晶ディスプレイ（ＬＣＤ）から構成される。表示パネル１０１は、液晶ディスプレイに限られることなく、情報を表示する機能を有する機器であれば、他の電子機器から構成される場合であってもよい。
保護部材１０２は、表示パネル１０１に対向して配設され、表示パネル１０１を保護する機能を有する。
スクリーン部材１０３は、保表示部保護機能を設置する装置本体と嵌合する部材である。これにより、保護部材１０２の配置を定める。具体的には、保護部材を設置する装置に固定する機能を実現する。スクリーン部材１０３は、外部から保護する機能も有する。
【００１８】
接合部１０４は、装置本体内に配設される。装置本体と一体化していてもよい。接合部１０４は、保護部材１０２と接合し、保護部材１０２が表示パネル１０１方向への変位しないように形成される。また、接合部１０４は、保護部材１０２と嵌合する（嵌め合う）構造を用いないことする。例えば、接合部１０４は、斜面形状を用いて、接合部１０４と保護部材１０２とが接することにより、保護部材１０２が表示パネル１０１へ移動することを禁止する構造とする。接合部１０４は、嵌め合う構造を有していないため、組み立ての際の熟練を必要としない構造となっている。
【００１９】
表示部保護構造は、保護部材１０２のずれによる破損等を生じることを回避するため、さらに、次のような特徴うちの少なくとも一つを備えることが好ましい。
【００２０】
接合部１０４は、表示パネル１０１に対して傾斜するように形成された傾斜形状を有し、傾斜形状に保護部材１０２が接することによって、接合部１０４が保護部材１０２を把持するように形成される。傾斜形状を利用して接合部１０４と保護部材１０２とを接合させ、接合部１０４と保護部材１０２とがずれない構造とする。また、接合部１０４の傾斜形状は、スクリーン部材１０３から表示パネル１０１の方向へ保護部材１０２を配置する領域が狭くなるように形成されることが好ましい。保護部材１０２を設置する領域が表示パネル１０１に向かって狭くなることにより、保護部材１０２が表示パネル１０１方向へ変位（移動）することを防止することが可能になる。
【００２１】
このような構造にすることにより、組み立て時に大きな力を必要としなくなる。具体的には、ツメ部などによって接合部１０４と保護部材１０２とを嵌合させる構造である場合を仮定すると、ツメ部を嵌合させるために大きな力を必要とする。しかし、斜面形状を利用して、保護部材１０２を接合部１０４へ接合させるため、嵌めこむ力を必要としない。
【００２２】
保護部材１０２は、表示パネル１０１側と対向する第一表面が、スクリーン側と対向する第二表面より小さくなるように形成される。保護部材１０２の形状は、スクリーン部材１０３から表示パネル１０１へ向かうにつれ、その大きさが小さくなるように形成される。このとき、図１に示すように、接合部１０４の形状も、保護部材１０２の形状に沿って変化するように形成する。すなわち、接合部１０４によって形成される領域（配置領域、空間領域）より、保護部材１０２の大きさが大きくなる部分を形成する。これにより、保護部材１０２は、スクリーン部材１０３から表示パネル１０１の方向へ、該領域を通過することができない構造となる。その結果、保護部材１０２をリア側から挿入し、接合部１０４と保護部材１０２との傾斜形状（傾斜面）を接合させると、表示パネル１０１に向かって保護部材が配置される領域が小さくなること、保護部材１０２が表示パネル１０１の方向へ移動できなくなる。同様に、外部から圧力がかかった場合にも、保護部材１０２が表示パネル１０１の方向へ移動することが抑制（禁止）される。
【００２３】
接合部１０４の傾斜形状は、保護部材と接合する斜面（傾斜面）として形成される。また、保護部材１０２は、接合部１０４の傾斜面に沿う形状を、接合部１０４と接合する接合面として有することが好ましい。接合部１０４の傾斜形状に沿った接合面を保護部材１０２が有することにより、接合部１０４と保護部材１０２とは面によって接合することができる。これは、接合部１０４と保護部材１０２とのいずれか一方あるいは両方が、複数の点や、線状の形状によって接合する場合に比べて、強度を増加させることができる。また、強度が増すことにより、例えば複数の点や、線状の形状で接合する場合に比べて、接合部分の形状の破損を回避することが可能になる。
【００２４】
以上説明したように、図１に示す表示部保護構造により、液晶などの表示パネル１０１を保護する保護部材１０２が、外部から衝撃等を受けた場合に表示パネル１０１の方向にずれ、当該表示パネル１０１を破損、破壊することを防止することができる。
【００２５】
（実施形態１）
実施形態１では、図１に示す表示部保護構造が携帯端末装置の一例として携帯電話機に適用される場合を説明する。
図２は、携帯端末装置（携帯電話機）の一例を示す図であり、（ａ）はフロント側を示す図であり、（ｂ）は側面図、（ｃ）は、リア側を示す図である。携帯端末装置は、本体（筐体）１、フロント表示部２、操作部３、及びリア表示部４を、少なくとも備える。ここではその他の構成要素、及び詳細な構成の説明は発明の本質的な部分ではないため、省略する。
図３は、図１に示す表示部保護構造を適用した携帯端末装置の一例を示す断面図である。図３は、図２の携帯端末装置のＩＩ−ＩＩ断面図を示している。
【００２６】
図３に示すように、携帯端末装置は、フロント表示部２として、バックライト２１、フロント液晶（表示パネル）２２、フロントスクリーン２３を備える。リア表示部４として、背面液晶４１、保護プレート４２、リアスクリーン４３、保護プレート接合部４４、防塵クッション４５、及びフレーム４６を備える。また、制御回路を備える基板１１、及びステンレス鋼（ＳＵＳ）１２を示している。
背面液晶４１は、図１の表示パネル１０１の一例であり、液晶ディスプレイから構成される。
また、保護プレート４２は、図１の保護部材１０２の一例であり、リアスクリーン４３は、図１のスクリーン部材１０３の一例である。
保護プレート接合部４４は、図１の接合部１０４の一例であり、保護プレート４２と接合し、保護プレート４２が背面液晶４１側へずれることを防止する。
【００２７】
図３に示す携帯端末装置は、自装置に大きな衝撃を受けた場合であっても、保護プレート４２が、液晶（背面液晶４１）方向に変位しないよう形成されている。具体的には保護プレート４２と、当該保護プレート４２を保持する保護プレート接合部４４との接合部分が傾斜して形成される。このため、保護プレート４２に大きな力が加わっても、液晶方向に変位することが無い。
また、保護プレート４２のリア側において、保護プレート４２とリアスクリーン４３とのクリアランスを小さくして、常に保護プレート４２を、リアスクリーン４３により押さえ込む形とすることもできる。
【００２８】
図４を参照して説明した保護プレート固定方法は、大きな衝撃を受けた場合に、フロント方向（液晶方向）へ保護プレートが位相ズレを起こす可能性が有った。そのため、表示部の見栄えが損なわれる可能性があった。また、フロント方向（液晶方向）に位相ズレが発生することにより、フロント側へ保護プレートが干渉し、背面液晶割れや正面液晶割れ、基板実装部品の破損、保護プレートに傷が付く恐れがあった。
【００２９】
本実施形態の携帯端末装置により、保護プレートのフロント方向（液晶方向）への位相ズレが生じることが無くなる。そのため、フロント側への、保護プレートのフロント側への干渉が無くなり、保護プレートが背面液晶や基板、基板実装部品、正面液晶へ悪影響を及ぼす恐れが無くなる。
【００３０】
更に、図４を参照して説明した保護プレート固定方法は、ツメにより保護プレートを圧入する方法により組み立てていたため、組み立てには力を要し、更には、組み立て時の力加減により保護プレートの固定位置にバラつきが生じ易いなど、組み立て性の改善が求められていた。
本実施形態の携帯端末装置では、ツメを用いる必要が無いので、組み立て時に力が要らない。また、組み立て時のフロント方向への位相ずれが発生しないため、組み立てによるバラつきが生じず、生産を容易に行うことができる。
【００３１】
（その他の実施形態）
実施形態１の携帯端末装置において、フロント表示部２のフロント液晶２２は、液晶ディスプレイから構成される。フロント表示部２は、リア表示部４に比べて外部からの衝撃を受けることは少ないと言える。しかしながら、デザインや使用状況等によっては、液晶ディスプレイを保護することが好ましい場合も生じる。図３では、フロント表示部には、本発明の表示部保護構造を適用していないが、フロント液晶２２についても、背面液晶４１と同様に、保護部材を配設することも可能である。
また、図１では、表示部を二つ有する携帯端末装置を用いて説明したが、少なくとも一つの表示部を備える携帯端末装置へ本発明を適用することができる。
【００３２】
また、実施形態１では、二つ折りの携帯電話機を一例として用いて説明したが、これ以外の形状（例えば、折りたためない形状）の携帯電話機に本発明を提供することも可能である。特に、携帯端末装置の表示部が外部からの衝撃を受ける可能性がある場合には、本発明の表示部保護構造を適用することが好ましい。また、組み立て時においても、本発明の適用により、不良品の発生を抑制することができる。
さらに、例えば、携帯型の計算機など、表示部を備える電子機器に適用することもできる。特に外部に表示部が配置されている（露出している）電子機器には、外部からの衝撃を受けることが想定されるため、本発明の適用が有効であると期待できる。
【００３３】
図１では、保護部材１０２と接合部１０４との接合面は、傾斜面である場合を示しているが、これに限られることはない。例えば、接合面が階段形状のように段差を伴って、表示パネル１０１に向かって保護部材１０２の大きさが小さくなる（接合部１０４によって形成あれる領域が小さくなる）傾斜形状であってもよい。すなわち、保護部材１０２と接合部１０４とがそれぞれ階段形状の接合面を備え、階段形状を噛みあわせることによって組み立てることができる構成としてもよい。このとき、保護部材１０２を接合部１０４が形成する領域に、スクリーン部材１０３側から挿入することによって、力をかけることなく組み込む（噛み合わせられる）形状であればよい。例えば、波形など曲線状に変化する曲面であってもよい。
【００３４】
また、実施形態１の携帯端末装置に限定されることなく、例えば次のように形成された携帯端末装置であってもよい。携帯端末装置の他の一態様は、本体と、表示パネルと、回路基板が内蔵される本体と、前記本体内に配設されて文字、或いは画像を表示する表示部と、保護部材と、スクリーン部材とを備える。保護部材は、表示パネルに対向して配設され、当該表示パネルを保護する。また、保護部材は、表示パネル方向への変位が規制されるように本体と接合するよう形成される。
【００３５】
以上のように、本発明に係る実施形態の一態様によれば、表示パネルを保護する保護部材が、外部から衝撃等を受けた場合に表示パネルの方向にずれることを防止することが可能になる。これにより、保護部材が表示パネル側へ移動させられることによって生じていた表示部、あるいはその他の機器の破損、損傷を回避することができる。また、保護部材が表示パネル側へずれない構造としたことにより、組み立て時に保護部材を装置本体に設置するときに生じていた破損等の不具合を回避することができる。従って、不良品発生によるコストの増加を抑制するとともに、保護部材を適切な位置に組み付けるための熟練が必要なくなり、組み立てにかかわる人材の活用を柔軟にすることができる。
【００３６】
なお、本発明は上記に示す実施形態に限定されるものではない。本発明の範囲において、上記実施形態の各要素を、当業者であれば容易に考えうる内容に変更、追加、変換することが可能である。
【符号の説明】
【００３７】
１  本体
２、９２  フロント表示部
３  操作部
４、９４  リア表示部
２１、９２１  バックライト
２２、９２２  フロント液晶
２３、９２３  フロントスクリーン
４１、９４１  背面液晶
４２、９４２  保護プレート
４３、９４３  リアスクリーン
４４  保護プレート接合部
４５、１０４、９４４  防塵クッション
４６、１０６、９４６  フレーム
１１、９１１  基板
１２、９１２  ステンレス鋼
１０１  表示パネル
１０２  保護部材
１０３  スクリーン部材
１０４  接合部
９４４  保護プレート嵌合部
【図１】
2011250080.tif 000003
【図２】
2011250080.tif 000004
【図３】
2011250080.tif 000005
【図４】
2011250080.tif 000006